(57)【要約】【課題】本考案は、屋根に降り積もった雪が雨樋を壊すことなく、軒先から自然に滑り落ちる丸屋根軒先雪滑り構造を得ることを目的とする。【解決手段】本考案の丸屋根軒先雪滑り構造は、各垂木５の先端に半円弧状の丸屋根下地板８を、円弧が軒先側になるように垂木５の傾斜方向に沿って垂直姿勢で連結し、前記丸屋根下地板８の半円弧状の屋根側先端を垂木５の上面に一致させ、段差なく屋根傾斜が連続した傾斜となるように前記丸屋根下地板８をやや前方に傾け突出させ、さらに前記垂木５の上面は前記丸屋根下地板８と同じ円弧になるように切削し、前記垂木５と前記丸屋根下地板８の重合部分は固着部材により結合する。前記丸屋根下地板８は、円弧の頂点より下がった円弧部分を逆Ｌ字状に切欠き、該切欠き部分に破風板１０を野地板方向に沿って固定し、逆Ｌ字状空間に雨樋（図示せず）が収納できるように形成する。【選択図】図２
0003122706.tif 000002
【実用新案登録請求の範囲】
【請求項１】
各垂木の先端に半円弧状の丸屋根下地板を円弧が軒先側になるように垂木の傾斜方向に沿って垂直姿勢で連結し、前記丸屋根下地板の半円弧状の屋根側先端を垂木の上面に一致させ、段差なく屋根傾斜が連続した傾斜となるように前記丸屋根下地板をやや前方に傾け突出させ、さらに前記垂木の上面は前記丸屋根下地板と同じ円弧になるように切削し、前記垂木と前記丸屋根下地板の重合部分は固着部材により結合し、前記丸屋根下地板に野地板を渡して平トタン板を張って屋根傾斜に連続する円弧状の軒先屋根を形成し、円弧の頂点より下がった円弧部分を逆Ｌ字状に切欠き、該切欠き部分に破風板を野地板方向に沿って固定し、逆Ｌ字状空間に雨樋が収納できるように形成することを特徴とする丸屋根軒先雪滑り構造。
【考案の詳細な説明】
【技術分野】
【０００１】
本考案は、屋根に降り積もった雪が雨樋を壊すことなく、軒先から自然に滑り落ちる丸屋根軒先雪滑り構造に関する。
【背景技術】
【０００２】
従来、屋根の軒先には雨水を集水する雨樋が設けられており、積雪地方においては屋根に降り積もった雪がトタン屋根から滑り落ちて軒先の雨樋を破壊することがある。
そのために、トタン屋根からの落雪などによって雨樋が損傷することを防ぐ雨樋保護具が知られている（特許文献１を参照）。
この雨樋保護具は、軒先に固定された雨樋の上方に雨樋に沿った長さの金属板材を断面折り返し状に折曲して保護具本体を取り付けたもので、軒先から落下してくる雪などの固形落下物が前記保護具本体に遮られて雨樋に落下しないように構成し、且つ雨水などの液状落下物は前記保護具本体を伝わって雨樋へ流れ落ちるようにしたものである。
その他に、落雪から雨樋を保護するものとして、ストレート屋根の屋根勾配より下向きで斜め前方に延設される水切り落雪プレート部の軒先構造（特許文献２を参照）やアーチ状屋根の屋根に積もった雪を雨樋の外へ導く傾斜面を有する落雪ガイドカバー（特許文献３を参照）などがある。
【特許文献１】特開２００２−０２１２６８号公報
【特許文献２】特開２０００−２４８７０１号公報
【特許文献３】特開平０８−３０２９３７号公報
【考案の開示】
【考案が解決しようとする課題】
【０００３】
本考案は、屋根に降り積もった雪が雨樋を壊すことなく、軒先から自然に滑り落ちる丸屋根軒先雪滑り構造を得ることを目的とする。
【課題を解決するための手段】
【０００４】
本考案の丸屋根軒先雪滑り構造は、各垂木の先端に半円弧状の丸屋根下地板を円弧が軒先側になるように垂木の傾斜方向に沿って垂直姿勢で連結し、前記丸屋根下地板の半円弧状の屋根側先端を垂木の上面に一致させ、段差なく屋根傾斜が連続した傾斜となるように前記丸屋根下地板をやや前方に傾け突出させ、さらに前記垂木の上面は前記丸屋根下地板と同じ円弧になるように切削し、前記垂木と前記丸屋根下地板の重合部分は固着部材により結合し、前記丸屋根下地板に野地板を渡して平トタン板を張って屋根傾斜に連続する円弧状の軒先屋根を形成し、円弧の頂点より下がった円弧部分を逆Ｌ字状に切欠き、該切欠き部分に破風板を野地板方向に沿って固定し、逆Ｌ字状空間に雨樋が収納できるように形成するものである。
【考案の効果】
【０００５】
本考案の丸屋根軒先雪滑り構造は、軒先が丸屋根に形成されているので、落雪が雨樋に触れることなく軒先から自然に滑り落ちるので、屋根に降り積もった雪は雨樋を壊すことがない。
【考案を実施するための最良の形態】
【０００６】
本考案の丸屋根軒先雪滑り構造の一実施例を図面に基づいて、以下に説明する。
図１の断面図に示すように、一般住宅家屋は、所要隅角に柱１が立設され、該柱上端部を連結する軒桁２と該軒桁２間を繋ぐ梁３が形成され、前記梁３の上に小屋束４を介して屋根骨格が形成され、棟（図示せず）から軒先に掛けて等間隔に垂木５を傾斜状に接合して該垂木５に野地板６を渡して図３に示すように横葺きトタン板７を張って屋根を形成する。
【０００７】
本考案の丸屋根軒先雪滑り構造は、図２に示すように、各垂木５の先端に半円弧状の丸屋根下地板８を、円弧が軒先側になるように垂木５の傾斜方向に沿って垂直姿勢で連結したものである。
本実施例では、前記丸屋根下地板８の半円弧状の屋根側先端を垂木５の上面に一致させ、段差なく屋根傾斜が連続した傾斜となるように前記丸屋根下地板８をやや前方に傾け突出させ、さらに前記垂木５の上面は前記丸屋根下地板８と同じ円弧になるように切削し、前記垂木５と前記丸屋根下地板８の重合部分は釘、ビス、接着剤などの固着部材（図示せず）により結合する。
そして、前記垂木５と同様に、前記丸屋根下地板８にも野地板６を渡して平トタン板９を張って屋根傾斜に連続する円弧状の軒先屋根を形成する。
【０００８】
前記丸屋根下地板８は、円弧の頂点より下がった円弧部分を逆Ｌ字状に切欠き、該切欠き部分に破風板１０を野地板方向に沿って固定し、逆Ｌ字状空間に雨樋１１が収納できるように形成する。
なお、前記丸屋根下地板８の下端は、図１、２に示すように下地材１２、軒天井板１３により柱１に連結して固定する。
【０００９】
図３の正面図に示すように、雨樋１１は、正面視で円弧状の軒先屋根の下端との間に隙間が形成されて軒先に沿った横樋１４と、該横樋１４の適宜位置に形成した集水桝１５と、該集水桝１５に縦方向に接続された排水管１６とから構成される。
【００１０】
次に、本考案の丸屋根軒先雪滑り構造の作用を図面に基づいて、以下に説明する。
図１に示すように、冬季において、降った雪は屋根に積もり、積雪量が多くなると雪塊Ｓとなって屋根を滑り落ちる。
本考案の丸屋根軒先雪滑り構造では、屋根傾斜に連続する円弧状の軒先屋根を形成しているので、円弧面に沿って滑り落ち円弧の頂点から垂直下方へ、すなわち円弧頂点の接線方向に雪塊Ｓは滑落する。
したがって、円弧状の軒先屋根には雪が積もることがなく、軒先屋根の平トタン板９は露出した状態で冬季を過ごすことになる。
一方、雨樋１１は、丸屋根下地板８の円弧の頂点より下がった円弧部分を逆Ｌ字状に切欠いた逆Ｌ字状空間に収納されているので、円弧頂点の接線方向より内側に雨樋１１が設けられており、雪塊Ｓは雨樋１１に衝突することがなく、雨樋１１は雪塊Ｓより破壊されない。
また、太陽の日差しや室内暖房の熱により屋根の雪が融けても、雪が融けた水は軒先屋根を伝わって雨樋方向に流れる。
極寒期に雪の融けた水が氷柱となって雨樋１１に氷着する場合は、あらかじめ雨樋１１の中にヒーター等の加熱源を設けて置けば良い。
冬季以外においては、雨水は軒先屋根を伝わって雨樋１１に流れるので、雪塊Ｓのように円弧の頂点から垂直下方へ垂れることはなく、雨水は軒先屋根から横樋１４に垂れ落ち、横樋１４から集水桝１５に集められ、排水桝１５から排水管１６を通って排水される。
【図面の簡単な説明】
【００１１】
【図１】本考案の丸屋根軒先雪滑り構造を示す断面図である。
【図２】本考案の丸屋根軒先雪滑り構造を示す分解斜視図である。
【図３】本考案の丸屋根軒先雪滑り構造を示す正面図である。
【符号の説明】
【００１２】
１  柱
２  軒桁
３  梁
４  小屋束
５  垂木
６  野地板
７  横葺きトタン板
８  丸屋根下地板
９  平トタン板
１０  破風板
１１  雨樋
１２  下地材
１３  軒天井板
１４  横樋
１５  集水桝
１６  排水管
【図１】
0003122706.tif 000003
【図２】
0003122706.tif 000004
【図３】
0003122706.tif 000005